(57)【要約】【課題】充電式電源部を有する携帯の、バーコードＮｏ（読み取り）識別器であり、暗所でのピッキング作業が正確に、疲れなしで、できる効果を得る。【解決手段】伝票を持ち歩くことにより、ソフトを簡易化、低価格化した。ランプ及びブザーにより、あて先、価格等の識別が、確実にできる。又、ディスプレー上の累計と伝票の累計を比較して、定数管理ができる。そのような、電卓型、携帯式バーコードＮｏ読み取り器である。【選択図】図−１
0003124513.tif 000002
【実用新案登録請求の範囲】
【請求項１】
光学式バーコード読み取り器の背部にＣＰＵ、メモリー、液晶ディスプレー（Ｎｏ．が同一かどうかの）識別ランプ（青、赤）、同ブザー、ディスプレーを照らすランプ（青色ダイオード使用の場合、ランプ無し）、入力スイッチ部、充電式電源部、基盤部が一体となっており、運転手、配送センター係員が首にぶらさげて、伝票Ｎｏ．と、荷物Ｎｏ．を暗所で識別できる商品である。
【請求項２】
ＣＰＵ、メモリーは電卓の物と同一品（８ビット）を用い、低価格とし、ＣＰＵのソフトは製作時、部品段階で入力し、アプリケーションソフトは、第１回目の入力で、伝票Ｎｏ．を記憶し、第２回目から第Ｎ番目まで伝票Ｎｏ．で同一Ｎｏ．のみに青色ランプ、青色ブザー、で表示し、他のＮｏ．は赤ランプ、赤色ブザー、で表示し、バーコードＮｏ．のＮｏ．表示がされ、同一Ｎｏ．（青ランプの）個数が累積される。
【請求項３】
第１回目から第Ｒ回目までを、伝票Ｎｏ．を表示、記憶し、第Ｓ番目から第Ｚ番目まで、記憶されたバーコードＮｏ．と同じバーコードＮｏ．のみを青色ランプ、青色ブザーＮｏ．表示され、累計個数が表示される。他のバーコードＮｏ．は赤色ランプ、赤色ブザー表示される。
【請求項４】
第３アプリケーションは、第１種類から、第ｉ種類のバーコードＮｏ．の入力を行い、それぞれ種類ごとに、バーコードＮｏ．と累計を表示していき、最後に第１種から第ｉ種までを連続して、累計の表示を繰り返す。青ランプ、赤ランプの識別はバーコードＮｏ．がないもの（赤ランプ、赤ブザー表示）以外はしない。
【考案の詳細な説明】
【考案の詳細な説明】
【技術分野】
【０００１】本考案は運送会社運転手、配送センター係員、海運業倉庫係員が、暗所で、荷物のあて先、価額等を識別する際、首にぶらさげて、使用する商品である。
【背景技術】
【０００２】人間の目視により、暗所で、あて先確認をしていたり、バーコード有無を確認している。あるいはパソコン又は同類品に、パーコードＮｏ読み取り器をコードもしくはワイヤレスで接続し、パソコンあるいは、同類品のディスプレー上で、識別していた、あるいは、ソフト内容により、バーコードＮｏ読み取り器で、当該Ｎｏを打ち込んでいた。又、価格が１セットあたり、１５万円〜２０万円と高価であった。
【考案が解決しようとする課題】
【０００３】従来方式の人間の目視により、暗所でのあて先確認、及びバーコードＮｏの有無の確認は、不正確であるし、疲れる。
【０００４】又、バーコードＮｏ読み取り器と、パソコンあるいは同類品が接続され、そっちの側のディスプレーでの判断では、携帯できない。
【０００５】又、価格が高価である。
【０００６】荷物をピッキングする現場作業員に、記憶不能のソフトを作るのでなく、ソフトの中身が簡易化、低価格化できる。
【課題を解決するための手段】
【０００７】上記、目的を達成するために、本考案におけるバーコードＮｏ読み取り器は、携帯式である。
【０００８】本考案は、小型、安価なＣＰＵ、メモリーをそなえ、識別に青、赤ランプ及びブザーを有し、充電式電源部を有している。
【０００９】電卓同様の、小型、安価なＣＰＵ、メモリーはスイッチ部で、０〜１０の２進法数で操作できる。
【００１０】アプリケーションソフトは簡易、低価格で組み込まれている。
【考案を実施するための最良の形態】
【００１１】考案実施の形態を、図面を参照して説明する。図１に示すように携帯式である。０−０−０−０はＯＦＦ、０−０−０−１はＯＮ【００１２】図１に示すように液晶に、伝票バーコードＮｏを表示、記憶させる。０−０−１−０【００１３】図１に示すように、ディスプレーに、荷物バーコードＮｏを表示、伝票バーコードＮｏと、同一の場合、青ランプ、青ブザーで知らせ、累計個数となる。運転手及び配送センター係員は、青ランプ及び、青ブザーの品物のみを、ピッキングすればよい。０−０−１−１【００１４】荷物バーコードＮｏの横の同一（伝票のと）Ｎｏの累計を見て、伝票の累計と照合、確認（定数管理）すればよい。【００１５】ソフトの操作は、四つのボタンのオン・オフにより、２進法０〜１０の数のどれかにより、操作する。
【考案の効果】
【００１６】本考案は、上述のとおり構成されているので、次に記載する効果を奏する。
【００１７】ソフトが簡易、低価格で組み込まれているので、商品価格が低価格である。
【００１８】携帯でき、首にかけられることから、広範囲に、運転手及び配送センター係員が持ち運び、使用できる。
【００１９】青、赤ランプ、及び同ブザーにより、運転手及び配送センター係員は、疲れず、正確に、荷物のあて先、価格、個数を知ることができる。
【００２０】２進方式オン・オフスイッチで、ソフトを操作でき、（使用に際し、複雑なソフトを勉強しなくても）誰でも、簡単に使える。
【図面の簡単な説明】
【図１】本考案商品の斜め透視図である
【符号の説明】
▲１▼荷物バーコードＮｏ表示
▲２▼荷物累積荷数表示
▲３▼伝票バーコードＮｏ表示
▲４▼青色ランプ
▲５▼青色ブザー
▲６▼赤色ランプ
▲７▼赤色ブザー
▲８▼照明
▲９▼スイッチ類
▲１０▼ＣＰＵ
▲１１▼メモリー
▲１２▼充電式電源
▲１３▼基盤
【図−１】
0003124513.tif 000003
【手続補正書】
【提出日】平成17年8月4日(2005.8.4)
【手続補正２】
【補正対象書類名】実用新案登録請求の範囲
【補正対象項目名】全文
【補正方法】変更
【補正の内容】
【実用新案登録請求の範囲】
【請求項１】
光学式バーコード読み取り器の背部にＣＰＵ、メモリー、液晶ディスプレー、識別ランプ、同ブザー、ディスプレーを照らすランプ又は、青色ダイオード、入力スイッチ部、充電式電源部、基盤部が一体となっており、夜間本線荷物識別運転手、夜間配送センター係員が首にぶらさげて、伝票Ｎｏ．と、荷物Ｎｏ．を暗所で識別できる電卓型携帯式荷物識別ハンドスキャナーである。
【請求項２】
ＣＰＵ、メモリーは電卓の物と同一品の８ビットのものを用い、低価格とし、ＣＰＵのソフトは製作時、部品段階で入力し、アプリケーションソフトは、第１回目の入力で、伝票Ｎｏ．を記憶し、第２回目から第Ｎ回目まで伝票Ｎｏ．で同一Ｎｏ．のみに青色ランプ、青色ブザー、で表示し、他のＮｏ．は赤ランプ、赤色ブザー、で表示し、バーコードＮｏ．のＮｏ．表示がされ、同一Ｎｏ．個数が累積される。請求項１記載の電卓型携帯式荷物識別ハンドスキャナーである。
【請求項３】
第１回目から第Ｒ回目までを、伝票Ｎｏ．を表示、記憶し、第Ｓ番目から第Ｚ番目まで、記憶されたバーコードＮｏ．と同じバーコードＮｏ．のみを青色ランプ、青色ブザーＮｏ．表示され、累計個数が表示され、他のバーコードＮｏ．は赤色ランプ、赤色ブザー表示される。請求項１記載の電卓型携帯式荷物識別ハンドスキャナーである。
【請求項４】
第３アプリケーションは、第１種類から、第ｉ種類のバーコードＮｏ．の入力を行い、それぞれ種類ごとに、バーコードＮｏ．と累計を表示していき、最後に第１種から第ｉ種までを連続して、累計の表示を繰り返し、青ランプ、赤ランプの識別はバーコードＮｏ．がないもの以外はしない電卓型携帯式荷物識別ハンドスキャナーである。
【手続補正書】
【提出日】平成17年11月28日(2005.11.28)
【手続補正１】
【補正対象書類名】実用新案登録請求の範囲
【補正対象項目名】全文
【補正方法】変更
【補正の内容】
【実用新案登録請求の範囲】
【請求項１】
バーコード読み取り器は従来、有線又は無線でパソコンのｃｐｕに接続されていたが、貨物取り扱い人の判断力を養うため、ｃｐｕメモリーを電卓型の８ビット又は１６ビットとし、バーコード読み取り器の背部に、埋め込んだもので、液晶ディスプレー、識別ランプ、同ブザー、青色ダイオード、入力スイッチ部、充電式電源部、基盤部が、組み込まれ、貨物のバーコードＮｏ．と、伝票のバーコードＮｏ．が同一かどうか、判断し、図１の形状構造により計数表示することのできる電卓型携帯式荷物識別ハンドスキャナ。
【手続補正２】
【補正対象書類名】図面
【補正対象項目名】全図
【補正方法】変更
【補正の内容】
【図−１】
0003124513.tif 000004
0003124513.tif 000005
0003124513.tif 000006
0003124513.tif 000007